Podtech/llm-jp-corpus-v4-ja_patent huggingface dataset:
【手続補正書】
【提出日】平成30年7月23日(2018.7.23)
【手続補正１】
【補正対象書類名】特許請求の範囲
【補正対象項目名】全文
【補正方法】変更
【補正の内容】
【特許請求の範囲】
【請求項１】
表示装置における使用のための画像生成器であって、
各々が複数の無機発光ダイオード（ＩＬＥＤ）エミッタを備える複数のＩＬＥＤアレイチップを備え、各ＩＬＥＤアレイチップは、前記画像生成器の複数のピクセルの各々が複数の隣接ＩＬＥＤアレイチップの各々からのＩＬＥＤエミッタを備えるようにアレイに配置されており、各ピクセルのＩＬＥＤエミッタ材の総面積は各ピクセルの面積の５０％未満である、画像生成器。
【請求項２】
ＩＬＥＤエミッタ材の総面積は各ピクセルの面積の５％から１０％の範囲にある、請求項１に記載の画像生成器。
【請求項３】
一つのＩＬＥＤアレイチップの複数のＩＬＥＤエミッタの出力部と光学的に連通するとともに当該複数のＩＬＥＤエミッタからの光を複数のピクセルの複数の出射領域に向けて方向づける二次光学器を更に備える、請求項１に記載の画像生成器。
【請求項４】
前記二次光学器は、反射性構造、光転向光学部、光抽出形状部、フレネル型構造、印刷式光学部、食刻式光学部、ホログラフィック光学部、または回折格子のうちの一つまたは複数を備える、請求項３に記載の画像生成器。
【請求項５】
前記二次光学器は、前記二次光学器の内部反射を低減または除去し、前記二次光学器から光が出射されるように構成されている光抽出形状部を含む、請求項３に記載の画像生成器。
【請求項６】
前記二次光学器は、前記光抽出形状部の大きさ及び形状に対応する大きさ及び形状を有するピクセル出射領域を画定する、請求項５に記載の画像生成器。
【請求項７】
前記二次光学器は、拡散ライトガイドパネルを備える、請求項３に記載の画像生成器。
【請求項８】
前記拡散ライトガイドパネルは、前記表示装置の各ピクセル間にピクセル間クロストークを防止するように構成されたピクセル間領域を区画する、請求項７に記載の画像生成器。
【請求項９】
前記ピクセル間領域は隙間を備え、前記隙間は誘電性材料と反射性材料とのうちの一つ以上によって少なくとも部分的に充填されている、請求項８に記載の画像生成器。
【請求項１０】
各ＩＬＥＤチップはモノリシック構造を有する、請求項１に記載の画像生成器。
【請求項１１】
各ＩＬＥＤアレイチップ上の複数のＩＬＥＤエミッタが実質的に同じ色の光を出射するように構成されている、請求項１０に記載の画像生成器。
【請求項１２】
前記色は、赤、緑、青のうちの一つである、請求項１１に記載の画像生成器。
【請求項１３】
各ＩＬＥＤアレイチップ上の複数のＩＬＥＤエミッタが２×２行列で構成されている、請求項１に記載の画像生成器。
【請求項１４】
前記複数のＩＬＥＤアレイチップは、正方形、長方形、三角形、円形、及び多角形のうちのいずれかである、請求項１に記載の画像生成器。
【請求項１５】
各ＩＬＥＤアレイチップ上の複数のＩＬＥＤエミッタの各々は、当該ＩＬＥＤアレイチップの角に搭載されている、請求項１に記載の画像生成器。
【請求項１６】
前記複数のＩＬＥＤエミッタは、実質的に透明な担体に搭載されて当該担体を通して伝搬する光を出射する、請求項１に記載の画像生成器。
【請求項１７】
前記二次光学器は前記ＩＬＥＤアレイチップと直接一体化されている、請求項３に記載の画像生成器。
【請求項１８】
前記二次光学器は複数のライトガイドパネルと一体化された光転向光学部を含む、請求項３に記載の画像生成器。
【請求項１９】
前記複数のＩＬＥＤエミッタは複数のマイクロＩＬＥＤエミッタを備える、請求項１に記載の画像生成器。
【請求項２０】
表示装置における使用のための画像生成器であって、
各々が複数のＩＬＥＤエミッタを備える複数のＩＬＥＤアレイチップであって、各ＩＬＥＤアレイチップが、前記画像生成器の各ピクセルが複数の隣接ＩＬＥＤアレイチップの各々からのＩＬＥＤエミッタを備えるようにアレイに配置されている、前記複数のＩＬＥＤアレイチップと、
一つのＩＬＥＤアレイチップの複数のＩＬＥＤエミッタの出力部と光学的に連通するとともに当該複数のＩＬＥＤエミッタからの光を複数のピクセルの複数の出射領域に向けて方向づける二次光学器とを備える画像生成器。
【請求項２１】
前記二次光学器は、反射性構造、光転向光学部、光抽出形状部、フレネル型構造、印刷式光学部、食刻式光学部、ホログラフィック光学部、または回折格子のうちの一つまたは複数を備える、請求項２０に記載の画像生成器。
【請求項２２】
前記二次光学器は、前記二次光学器の内部反射を低減または除去し、前記二次光学器から光が出射されるように構成されている光抽出形状部を含む、請求項２１に記載の画像生成器。
【請求項２３】
前記二次光学器は、前記光抽出形状部の大きさ及び形状に対応する大きさ及び形状を有するピクセル出射領域を画定する、請求項２２に記載の画像生成器。
【請求項２４】
前記二次光学器の出力部に光学的に連通する拡散ライトガイドパネルを更に備える、請求項２０に記載の画像生成器。
【請求項２５】
前記拡散ライトガイドパネルは、前記表示装置の各ピクセル間にピクセル間クロストークを防止するように構成されたピクセル間領域を区画する、請求項２４に記載の画像生成器。
【請求項２６】
前記ピクセル間領域は隙間を備え、前記隙間は誘電性材料と反射性材料とのうちの一つ以上によって少なくとも部分的に充填されている、請求項２５に記載の画像生成器。
【請求項２７】
前記複数のＩＬＥＤエミッタは、実質的に透明な担体に搭載されて当該担体を通して伝搬する光を出射する、請求項２０に記載の画像生成器。
【請求項２８】
前記二次光学器は前記ＩＬＥＤアレイチップと直接一体化されている、請求項２０に記載の画像生成器。
【請求項２９】
前記二次光学器は複数のライトガイドパネルと直接一体化されている、請求項２０に記載の画像生成器。
【請求項３０】
前記複数のＩＬＥＤエミッタは複数のマイクロＩＬＥＤエミッタを備える、請求項２０に記載の画像生成器。
【請求項３１】
画像生成器を備える表示装置であって、
前記画像生成器が、
前記画像生成器の複数のピクセルを画定する複数のライトガイドと、
各々が複数の無機発光ダイオード（ＩＬＥＤ）エミッタを備える複数のＩＬＥＤアレイチップとを備え、各ＩＬＥＤアレイチップは、各ライトガイドが複数の隣接ＩＬＥＤアレイチップの複数のエミッタからの光を当該ライトガイドの第１の領域で受光するとともにその光を当該ライトガイドの出射領域に向けて方向づけるように配置されている、表示装置。
【手続補正書】
【提出日】平成30年5月10日(2018.5.10)
【手続補正１】
【補正対象書類名】特許請求の範囲
【補正対象項目名】全文
【補正方法】変更
【補正の内容】
【特許請求の範囲】
【請求項１】
シーンのターゲット画像を取り込むためのシステムであって、前記システムが、
複数のカメラのアレイを備え、前記複数のカメラが協働して点Vに仮想投影中心を有する仮想カメラを形成し、前記複数のカメラの各々が、シーンのターゲット画像の複数の部分のうちの1つを取り込むように構成され、
前記複数のカメラの各々が、
画像センサと、
少なくとも1つのレンズを含むレンズアセンブリであって、前記複数のカメラの各々およびその関連するレンズアセンブリが、その関連するレンズアセンブリを有する前記カメラの投影中心を表す点を有し、前記レンズアセンブリが、前記画像センサ上に光を集束させるように配置され、その関連するレンズアセンブリを有する前記カメラの前記投影中心を表す前記点、および、前記仮想カメラの前記仮想投影中心の点Vが、ラインに沿って位置する、レンズアセンブリと、
前記レンズアセンブリに前記光を反射するように配置されたミラーであって、前記ミラーが、前記仮想カメラの前記仮想投影中心の点Vと、その関連するレンズアセンブリを有する前記カメラの前記投影中心を表す前記点とを通過する前記ラインに沿った中点と交差するようにミラー平面上にさらに配置され、前記ミラー平面が、前記ラインと直交する角度でさらに配置された、ミラーと
を備える、システム。
【請求項２】
前記光を複数の部分に分割するように構成された複数の1次光再配向表面を有する中央反射要素をさらに備え、前記複数のカメラの各々の前記ミラーが、前記1次光再配向表面の1つを形成する、請求項1に記載のシステム。
【請求項３】
前記中央反射要素が、前記複数の1次光再配向表面の各々の交差によって形成される頂点を備え、前記複数のカメラの各々の光軸が、前記頂点を通過する、請求項1に記載のシステム。
【請求項４】
前記頂点および前記仮想投影中心が、仮想光軸が前記複数のカメラの前記アレイの光軸を形成するように、前記頂点と前記仮想投影中心とを通過する前記仮想光軸上に位置する、請求項3に記載のシステム。
【請求項５】
開口部を有する表面をその上面として備えるカメラハウジングをさらに備え、前記開口部が、前記シーンを表す前記光が前記開口部を前記中央反射要素まで通過することを可能にするように配置された、請求項1に記載のシステム。
【請求項６】
前記表面が、前記中央反射要素の頂点において、またはその上方で前記仮想光軸と直交して配置され、前記システムが、前記上面に実質的に平行に配置され、前記中央反射要素の下面において、またはその下方に配置された下面をさらに備える、請求項3に記載のシステム。
【請求項７】
前記複数のカメラの各々が、前記上面と前記下面との間に配置され、前記上面と前記下面との間の距離が、約4.5mm以下である、請求項6に記載のシステム。
【請求項８】
前記複数のカメラの各々から前記シーンの一部の画像を含む画像データを受信し、前記ターゲット画像を生成するためにスティッチング動作を実行するように構成されたプロセッサをさらに備え、
前記プロセッサが、前記仮想投影中心、および前記複数のカメラの各々の前記レンズアセンブリの前記投影中心と、対応するミラー平面内の前記複数のカメラの各々のための前記ミラーの位置との間の幾何学的関係に少なくとも部分的に基づいて、前記画像データへの投影変換を実行するようにさらに構成された、請求項1に記載のシステム。
【請求項９】
前記複数のカメラの各々に関連付けられた2次光再配向表面をさらに備え、前記2次光再配向表面が、前記レンズアセンブリからの光を前記画像センサ上に配向するように配置され、
前記システムが、基板をさらに備え、前記複数のカメラの各々のための前記画像センサが、前記基板上または前記基板内に配置された、請求項2に記載のシステム。
【請求項１０】
取り込まれた画像内に視差アーティファクトが実質的にないアレイカメラを製造する方法であって、
アレイ内に複数のカメラを配置するステップであって、前記複数のカメラが、協働して、点Vに仮想投影中心を有する仮想カメラを形成し、前記複数のカメラの各々が、ターゲット画像シーンの複数の部分のうちの1つを取り込むように構成され、
前記複数のカメラの各々が、
少なくとも1つのレンズを有するレンズアセンブリと、
前記レンズアセンブリの光学系によって少なくとも部分的に決定された位置を有するカメラの投影中心と、
前記レンズアセンブリからの光を受けるように配置されたセンサと
を備え、
前記レンズアセンブリが、画像センサ上に光を集束させるように配置され、
前記カメラの前記投影中心を表す点、および前記仮想カメラの前記仮想投影中心の点Vが、ラインに沿って位置する、ステップと、
前記複数のカメラの各々について、ミラー平面上に配置されたミラーを設けるステップであって、前記ミラー平面が、前記仮想投影中心および前記カメラの投影中心を通過する前記ラインに沿った中点と交差するように配置され、前記ミラー平面が、前記ラインと直交する角度で配置される、ステップと
を備える、方法。
【請求項１１】
前記方法が、中央反射要素のファセットとして前記複数のカメラの各々のための前記ミラーを設けるステップをさらに備え、前記複数のカメラが、前記中央反射要素の周囲に配置される、または、
前記複数のカメラの各々のための前記ミラーが、前記中央反射要素の頂点で交差し、前記方法が、前記複数のカメラの各々の光軸が前記頂点と交差するように前記複数のカメラの各々を配置するステップをさらに備える、請求項10に記載の方法。
【請求項１２】
前記複数のカメラの各々のための2次光再配向表面を設けるステップをさらに備える、請求項10に記載の方法。
【請求項１３】
前記レンズアセンブリから受けた光を前記センサ上に配向するように、前記レンズアセンブリと前記センサとの間に前記2次光再配向表面を配置するステップをさらに備える、請求項12に記載の方法。
【請求項１４】
前記光が少なくとも1つの開口部を前記複数のカメラの各々のための前記ミラーまで通過することを可能にするように配置された前記少なくとも1つの開口部を有する基板を設けるステップをさらに備え、
前記方法が、すべてのセンサが同じ平面内に配置されるように、前記基板上または前記基板内に前記複数のカメラの各々のための前記センサを取り付けるステップをさらに備える、請求項13に記載の方法。
【請求項１５】
前記複数のカメラの各々のセンサと電子的に通信するプロセッサを設けるステップをさらに備え、前記プロセッサが、ターゲット画像シーンの複数の部分を受け取り、前記ターゲット画像シーンの完全な画像を生成するように構成される、請求項10に記載の方法。
【手続補正書】
【提出日】平成30年6月22日(2018.6.22)
【手続補正１】
【補正対象書類名】特許請求の範囲
【補正対象項目名】全文
【補正方法】変更
【補正の内容】
【特許請求の範囲】
【請求項１】
試料内の標的成分を検出するバイオセンサシステムであって、前記試料は、前記標的成分の検出に干渉し得る干渉成分を含み、当該バイオセンサシステムは、
−  前記試料の導入のための入口を有する精製チャンバと、
−  前記精製チャンバ内の前記試料の干渉成分に結合することができる精製粒子と、
−  マグネトキャピラリーバルブを介して前記精製チャンバに接続された廃棄物チャンバであり、前記マグネトキャピラリーバルブを通して前記精製粒子を制御可能に動かすことができる、廃棄物チャンバと、
−  前記試料の標的成分に結合することができる磁気検出粒子と、
を含む、バイオセンサシステム。
【請求項２】
試料内の標的成分を検出する方法であって、前記試料は、前記標的成分の検出に干渉し得る干渉成分を含み、当該方法は、
−  前記試料の干渉成分に結合することができる精製粒子を前記試料に添加するステップと、
−  精製チャンバからマグネトキャピラリーバルブを通して廃棄物チャンバ内に前記精製粒子を移すステップと、
−  前記試料に、標的成分に結合することができる磁気検出粒子を添加するステップと、
−  標的成分が結合した前記磁気検出粒子を検出するステップと、
を含む、方法。
【請求項３】
前記精製粒子は、以下の干渉成分であるタンパク質、抗体、脂質、核酸、細胞、細菌、酵素、交差反応し得る標的分析物に対する特定の類似点を有する分子、薬物、及び／又は、その一部及び／又は凝集体のうち少なくとも１つに結合するように適応する、請求項１に記載のバイオセンサシステム又は請求項２に記載の方法。
【請求項４】
前記精製粒子は、以下の表面分子又は原子であるタンパク質、ストレプトアビジン、抗体、核酸、酵素、電荷を有した分子又は原子、シリカ分子、金属原子、干渉の程度が減らされるように干渉成分と反応し得る分子、標的分析物に対する類似点を有する分子、干渉成分に対して親和性を有する捕獲分子、及び／又は、その一部及び／又は凝集体のうち少なくとも１つを含む、請求項１に記載のバイオセンサシステム又は請求項２に記載の方法。
【請求項５】
前記精製粒子は、前記精製チャンバ内へのその導入に先立ち前記試料に添加される、請求項２に記載の方法。
【請求項６】
前記精製粒子は、前記精製チャンバ内への前記試料の導入に先立ち、前記精製チャンバ内及び／又は精製粒子貯蔵チャンバ内に提供される、請求項１に記載のバイオセンサシステム又は請求項２に記載の方法。
【請求項７】
前記精製粒子貯蔵チャンバは、バルブを介して、好ましくは、マグネトキャピラリーバルブを介して前記精製チャンバに結合される、請求項６に記載のバイオセンサシステム又は方法。
【請求項８】
前記磁気検出粒子は、前記精製チャンバ内へのその導入に先立ち前記試料に添加される、請求項２に記載の方法。
【請求項９】
前記磁気検出粒子は、前記精製チャンバ内への前記試料の導入に先立ち、前記精製チャンバ内及び／又は検出粒子貯蔵チャンバ内に提供される、請求項１に記載のバイオセンサシステム又は請求項２に記載の方法。
【請求項１０】
前記検出粒子貯蔵チャンバは、マグネトキャピラリーバルブを介して前記精製チャンバに結合される、請求項９に記載のバイオセンサシステム又は方法。
【請求項１１】
前記精製粒子は、磁気的、電気的、音響的、熱的及び／又は光学的な作用によって動かされる、請求項１に記載のバイオセンサシステム又は請求項２に記載の方法。
【請求項１２】
前記精製粒子は、磁気粒子及び／又は電気的に相互作用する粒子を含む、請求項１に記載のバイオセンサシステム又は請求項２に記載の方法。
【請求項１３】
少なくとも１つの結合スポットが、前記精製チャンバ、及び／又は、標的成分が結合した磁気検出粒子の検出のための別の検出チャンバの表面上に提供される、請求項１に記載のバイオセンサシステム又は請求項２に記載の方法。
【請求項１４】
マグネトキャピラリーバルブによって前記精製チャンバに結合された検出チャンバを含み、前記精製チャンバから前記検出チャンバまでの検出粒子の移動を可能にする、請求項１に記載のバイオセンサシステム又は請求項２に記載の方法。
【手続補正書】
【提出日】平成30年8月20日(2018.8.20)
【手続補正１】
【補正対象書類名】特許請求の範囲
【補正対象項目名】全文
【補正方法】変更
【補正の内容】
【特許請求の範囲】
【請求項１】
生検である生体試料を処理するためのシステムであって、
試料ホルダと、少なくとも１つの補助部品とを含み、前記試料ホルダは、管状部材を含み、前記管状部材は、少なくとも部分的に透明材料からなり、前記少なくとも１つの補助部品の各々は、前記試料ホルダの前記管状部材の少なくとも一部に結合することができる支持構造を有し、
前記管状部材は、その壁が試薬を透過する領域を含むことを特徴とする、
システム。
【請求項２】
前記管状部材は、０．２ｍｍ〜２ｍｍの内径を有することを特徴とする、請求項１に記載のシステム。
【請求項３】
前記管状部材は、少なくとも部分的に膜、特に多孔質高分子膜からなる、及び／又は、前記管状部材は、流体チャネルを含み、前記管状部材内の試料は、前記流体チャネルを通じてアクセス可能であることを特徴とする、請求項１又は２に記載のシステム。
【請求項４】
前記少なくとも１つの補助部品のうちの少なくとも１つは、コア針である抽出デバイスから前記試料ホルダに試料を移送する移送デバイスであり、該移送デバイスは、前記試料ホルダを接続可能な第１の端部と、前記抽出デバイスを接続可能な第２の端部とを備える、移送チャネルを含み、又は、
当該システムは、被検体から試料を抽出する抽出デバイスを含み、前記少なくとも１つの補助部品のうちの少なくとも１つは、コア針である抽出デバイスから前記試料ホルダに試料を移送する移送デバイスであり、該移送デバイスは、前記試料ホルダを接続可能な第１の端と、前記抽出デバイスを接続可能な第２の端部とを備える、移送チャネルを含み、及び／又は、
前記少なくとも１つの補助部品のうちの少なくとも１つは、被検体から前記試料を抽出する抽出デバイスであり、該抽出デバイスは、抽出された試料が前記試料ホルダにより取り込まれるように前記試料ホルダを収容する支持構造を有し、及び／又は、
前記少なくとも１つの補助部品のうちの少なくとも１つは、前記試料ホルダを交換可能に又は永久的に収容する支持構造を備える容器であることを特徴とする、
請求項１乃至３のうちのいずれか１項に記載のシステム。
【請求項５】
前記支持構造は、前記試料ホルダに対する前記移送デバイスの密閉接続を可能にすることを特徴とする、請求項４に記載のシステム。
【請求項６】
前記試料ホルダ内の試料の画像を生成する光学装置を含むことを特徴とする、請求項１乃至５のうちのいずれか１項に記載のシステム。
【請求項７】
前記少なくとも１つの補助部品のうちの少なくとも１つは、前記試料ホルダを交換可能に又は永久的に収容する支持構造を備える容器であり、前記試料ホルダは、前記容器に回転可能に収容され得る又は収容される、及び／又は、前記試料ホルダは、前記容器内で軸方向に移動可能であることを特徴とする、請求項１乃至６のいずれか１項に記載のシステム。
【請求項８】
前記少なくとも１つの補助部品のうちの少なくとも１つは、前記試料ホルダを交換可能に又は永久的に収容する支持構造を備える容器であり、前記容器の前記支持構造は、少なくとも部分的に流体で満たされる、並びに、前記流体に浸漬されている前記試料ホルダを取り込む、空洞を定めることを特徴とする、請求項１乃至７のいずれか１項に記載のシステム。
【請求項９】
前記少なくとも１つの補助部品のうちの少なくとも１つは、前記試料ホルダを交換可能に又は永久的に収容する支持構造を有する容器であり、該容器は、前記試料ホルダの前記管状部材の形状を有する穴を定める支持構造を備える基板を含むことを特徴とする、請求項１乃至８のいずれか１項に記載のシステム。
【請求項１０】
前記少なくとも１つの補助部品のうちの少なくとも１つは、前記試料ホルダを交換可能に又は永久的に収容する支持構造を備える容器であり、該容器は、前記試料ホルダの前記管状部材の周りの流体の流れを制御する流体系を含むことを特徴とする、請求項１乃至９のいずれか１項に記載のシステム。
【請求項１１】
試薬を透過する前記管状部材の前記壁の前記領域は、複数の開口又は孔を含む、請求項１乃至１０のうちのいずれか１項に記載のシステム。
【請求項１２】
前記管状部材の前記壁は、光学的に透過性の膜材料で作られる、請求項１乃至１１のうちのいずれか１項に記載のシステム。
【請求項１３】
生検である生体試料を処理するための方法であって、
管状部材を有する試料ホルダに生体試料を移送するステップであって、前記管状部材は、少なくとも局所的に透明である壁を備え、該壁は、該壁が液体を透過する領域を含み、前記管状部材は、少なくとも部分的に透明材料からなる、ステップと、
少なくとも１つの試薬が前記管状部材内の前記生体試料に到達できるように、前記試料ホルダを液体である少なくとも１つの試薬に暴露するステップとを含む、
方法。
【請求項１４】
前記試料ホルダ内の前記試料の光学的検査を行うステップと、
前記試料ホルダから前記試料の関心領域を抽出するステップとのうちの少なくとも１つをさらに含むことを特徴とする、請求項１３に記載の方法。
【請求項１５】
前記試薬は、固定剤、透過化剤、洗浄剤、アンチクエンチング剤、及び／又は染色剤を含むことを特徴とする、請求項１３又は１４に記載の方法。
【手続補正書】
【提出日】平成30年5月23日(2018.5.23)
【手続補正１】
【補正対象書類名】特許請求の範囲
【補正対象項目名】全文
【補正方法】変更
【補正の内容】
【特許請求の範囲】
【請求項１】
検体試験センサを貯蔵及び分配するセンサクリップアセンブリであって、
積層して配列された複数の試験センサであり、各々が、流体試料中の検体の試験を支援するように構成された試験センサと、
頂部、底部、及び複数の側部を有した骨格フレームであり、頂部、底部、及び側部が、試験センサの積層が貯蔵される内部チャンバを画定するために相互接続され、側部の少なくとも１つが、その対向する側部上に構造上の空隙を有した１つ以上の細長いレールを包含する、骨格フレームと、
を含む、センサクリップアセンブリ。
【請求項２】
骨格フレームの側部の少なくとも第２の１つが、その対向する側部上に構造上の空隙を有したそれぞれの１つ以上の細長いレールを含む、請求項１に記載のセンサクリップアセンブリ。
【請求項３】
骨格フレームの少なくとも１つの側部が、構造上の空隙によって互いに間隔を置かれた複数の細長いレールを包含する、請求項１に記載のセンサクリップアセンブリ。
【請求項４】
１つ以上の細長いレールの各々が、円柱であり、骨格フレームの頂部と底部との間に延在し、頂部及び底部を接続する、請求項１に記載のセンサクリップアセンブリ。
【請求項５】
骨格フレームの底部が、内部チャンバ内側で試験センサの積層を保つように構成された一対の対向する可撓性タブを含む、請求項１に記載のセンサクリップアセンブリ。
【請求項６】
骨格フレームの底部が、通過させて試験センサの積層を受けるように構成された開口を画定し、対向する可撓性タブが、試験センサの積層が骨格フレームの底部を通り内部チャンバ内へ通過することができるように撓曲するように構成される、請求項５に記載のセンサクリップアセンブリ。
【請求項７】
骨格フレームの頂部が、骨格フレームの内部チャンバから出て試験センサを、１つずつ、前進させる突出機構を通過させて受けるように構成された細長い孔を有したキャップを含む、請求項１に記載のセンサクリップアセンブリ。
【請求項８】
骨格フレームの側部の少なくとも１つが、内部チャンバ内に試験センサの積層を整列するように構成された１つ以上の適合整列レールを含む、請求項１に記載のセンサクリップアセンブリ。
【請求項９】
試験センサの積層が固定される押し板を更に含む、請求項１に記載のセンサクリップアセンブリ。
【請求項１０】
骨格フレームに取り付けられたポケットであり、乾燥剤材料を貯蔵するように構成されるポケットを更に含む、請求項１に記載のセンサクリップアセンブリ。
【請求項１１】
骨格フレームに取り付けられた自動較正タブであり、センサクリップアセンブリのための詳細な較正情報を包含する自動較正タブを更に含む、請求項１に記載のセンサクリップアセンブリ。
【請求項１２】
検体が糖分であり、試験試料が血液である、請求項１に記載のセンサクリップアセンブリ。
【請求項１３】
複数の試験センサが、電気化学的センサを包含し、
電気化学的センサの各々が、基部、基部により支持された１つ以上の電極、及び１つ以上の電極と電気的に通信する試薬を包含し、試薬が、検体と化学的に反応するように適合された酵素を包含する、請求項１に記載のセンサクリップアセンブリ。
【請求項１４】
複数の試験センサが、光学的センサを包含する、請求項１に記載のセンサクリップアセンブリ。
【請求項１５】
検体試験システムであって、
積層して配列された複数の試験センサであり、各々が、流体試料を受け、流体試料中の検体の特徴の指示を生成するように構成された試験センサと、
開口部を有する内部カートリッジチャンバを画定する外部ハウジングを有した計であり、試験センサの各々によって生成された検体の特徴の指示を分析するように構成された試験電子機器を包含する計と、
計の内部カートリッジチャンバの内側に除去可能に配置されたセンサクリップであり、頂部、底部、及び複数の側部を有した骨格フレームを包含し、頂部、底部、及び側部が、試験センサの積層が収納される内部センサチャンバを画定するために相互接続され、側部の少なくとも１つが、その対向する側部上に構造上の空隙を有した１つ以上の細長いレールを包含する、センサクリップと、
を含む検体試験システム。
【手続補正書】
【提出日】平成30年5月10日(2018.5.10)
【手続補正１】
【補正対象書類名】特許請求の範囲
【補正対象項目名】全文
【補正方法】変更
【補正の内容】
【特許請求の範囲】
【請求項１】
流体中の磁性粒子を分析するためのコレクタリーダであって、前記流体は、前記コレクタリーダに対して移動し、前記コレクタリーダは、
磁石のアレイであって、前記磁石のアレイの磁化方向は、前記流体中に高磁場勾配の領域を生成するように変動され、前記磁石のアレイは、前記流体中に懸下されるように構成され、前記磁石のアレイは、軸とディスクフィンとを伴うディスクとして構成され、前記ディスクフィンは、前記流体によって衝撃を受けると、前記軸上で前記ディスクを高速に回転させる、磁石のアレイと、
前記アレイに引きつけられた前記粒子を空間的に濃縮するように構成されたストッパと、
前記ストッパによって濃縮された前記粒子を励起するように構成された源と、前記磁性粒子によって放出された粒子励起徴候を捕捉するように構成された検出器とを含む、リーダと
を備える、コレクタリーダ。
【請求項２】
前記アレイ内の隣接する磁石は、反対の磁化極性を有するか、またはハルバッハアレイとして構成されている、請求項１に記載のコレクタリーダ。
【請求項３】
前記源は、Ｘ線を用いて前記粒子を励起し、前記検出器は、結果として生じる粒子Ｘ線蛍光を測定する、請求項１に記載のコレクタリーダ。
【請求項４】
前記ストッパに隣接するＸ線に対して透過性のウィンドウをさらに含む、請求項１に記載のコレクタリーダ。
【請求項５】
前記源は、光学的に前記粒子を励起し、前記検出器は、結果として生じる光学蛍光を測定する、請求項１に記載のコレクタリーダ。
【請求項６】
前記源は、前記粒子を励起し、前記検出器は、
Ｘ線蛍光と、
光学蛍光と、
原子吸光と、
原子分光法と、
中性子活性化と、
誘導結合プラズマ質量分析と、
Ｘ線光電子分光法と
のうちの１つ以上を使用して、粒子励起を測定する、請求項１に記載のコレクタリーダ。
【請求項７】
前記ストッパは、Ｖ型である、請求項１に記載のコレクタリーダ。
【請求項８】
前記リーダは、前記アレイから少なくとも１０フィートにある、請求項１に記載のコレクタリーダ。
【請求項９】
流体を生産するパイプを含む生産井と、少なくとも２つの注入井とによって穿通されている地下リザーバの観察を行うための方法であって、前記方法は、
第１の注入井を介して、トレーサ粒子の第１のセットを第１の地下の場所に送達し、第２の注入井を介して、トレーサ粒子の第２のセットを第２の地下の場所に送達することと、
前記生産井を介して前記リザーバから外への流体を生産することであって、前記流体を生産することは、コレクタを使用して、前記生産された流体中のトレーサ粒子を濃縮することを含み、前記コレクタは、
前記生産井パイプ内に位置付けられた磁石のアレイであって、前記アレイ内の隣接する磁石は、反対の磁化極性を有するか、または前記アレイは、線形アレイであり、前記流体は、前記アレイに対して移動する、磁石のアレイと、
前記アレイに磁気的に引きつけられた前記粒子を捕捉し、分析のためにそれらを移送するように構成されている、可撤性シースと
を備える、ことと、
前記生産された流体中の前記トレーサ粒子の第１のセットの存在または不在を検出し、前記生産された流体中の前記トレーサ粒子の第２のセットの存在または不在を検出することと
を含み、
前記トレーサ粒子は、それぞれ、磁性材料と、識別要素とを含み、前記トレーサ粒子の第１のセット内の識別要素は、前記トレーサ粒子の第２のセット内の識別要素とは異なり、前記トレーサ粒子の存在または不在を検出することは、
Ｘ線蛍光分光法と、
原子吸光と、
原子分光法と、
中性子活性化と、
光学蛍光と、
誘導結合プラズマ質量分析と、
Ｘ線光電子分光法と
のうちの１つ以上を使用して、１つ以上の識別要素を検出することによって実施される、方法。
【請求項１０】
前記生産井を介して、前記リザーバから外への流体を生産することはさらに、磁気抽出を使用して、前記生産された流体中のトレーサ粒子を濃縮することを含む、請求項９に記載の方法。
【請求項１１】
前記生産井を介して、前記リザーバから外への流体を生産することはさらに、コレクタを使用して、前記生産された流体中のトレーサ粒子を濃縮することを含み、前記コレクタは、
磁石のアレイであって、前記流体は、前記アレイに対して移動する、磁石のアレイと、
前記アレイに磁気的に引きつけられた前記粒子を空間的に濃縮するように構成されたストッパと
を備える、請求項１０に記載の方法。
【請求項１２】
前記生産された流体中の前記トレーサ粒子の第１のセットと、前記トレーサ粒子の第２のセットとの比率を判定することによって、前記生産された流体中の前記第１の注入井からの流体と、前記第２の注入井からの流体との比率を判定することをさらに含む、請求項９に記載の方法。
【請求項１３】
流体中の磁性粒子を分析するためのコレクタリーダであって、前記流体は、前記コレクタリーダに対して移動し、前記コレクタリーダは、
磁石のアレイであって、前記磁石のアレイの磁化方向は、前記流体中に高磁場勾配の領域を生成するように変動され、前記磁石のアレイは、パイプの非磁性区分を囲繞するカラーとして構成され、前記アレイの軸および前記パイプの軸は、一致し、前記アレイは、その軸上で回転するように構成されている、磁石のアレイと、
前記アレイに引きつけられた前記粒子を空間的に濃縮するように構成されたストッパと、
前記ストッパから磁性粒子を除去するクリーナと、
前記ストッパによって濃縮された前記粒子を励起するように構成された源と、前記磁性粒子によって放出された粒子励起徴候を捕捉するように構成された検出器とを含む、リーダと
を備える、コレクタリーダ。
【請求項１４】
前記クリーナは、前記パイプの非磁性区分の内面上の突起である、請求項１３に記載のコレクタリーダ。
【請求項１５】
流体を生産するパイプを含む生産井と、少なくとも２つの注入井とによって穿通されている地下リザーバの観察を行うための方法であって、前記方法は、
第１の注入井を介して、トレーサ粒子の第１のセットを第１の地下の場所に送達し、第２の注入井を介して、トレーサ粒子の第２のセットを第２の地下の場所に送達することと、
前記生産井を介して前記リザーバから外への流体を生産することと、
前記生産された流体中の前記トレーサ粒子の第１のセットの存在または不在を検出し、前記生産された流体中の前記トレーサ粒子の第２のセットの存在または不在を検出することと
を含み、
前記トレーサ粒子は、それぞれ、識別要素を含有する層によって囲繞されている、フェライトまたは鉄合金磁性材料を含み、前記トレーサ粒子の第１のセット内の識別要素は、前記トレーサ粒子の第２のセット内の識別要素とは異なり、前記層は、保護シェルによって被覆され、前記トレーサ粒子の存在または不在を検出することは、
Ｘ線蛍光分光法と、
原子吸光と、
原子分光法と、
中性子活性化と、
光学蛍光と、
誘導結合プラズマ質量分析と、
Ｘ線光電子分光法と
のうちの１つ以上を使用して、１つ以上の識別要素を検出することによって実施される、方法。
【手続補正書】
【提出日】平成30年5月1日(2018.5.1)
【手続補正１】
【補正対象書類名】特許請求の範囲
【補正対象項目名】全文
【補正方法】変更
【補正の内容】
【特許請求の範囲】
【請求項１】
複数のプライマリ光反射面を含む反射コンポーネント、前記反射コンポーネントは、前記複数のプライマリ光反射面の各々の交差のロケーションにアペックスを備える、と、
複数のカメラ、前記複数のカメラの各々は、単一のポイントでのみ交差するようにアラインされた光軸を有し、前記単一のポイントは、前記反射コンポーネントの前記アペックスに位置し、前記複数のカメラの各々は、前記複数のプライマリ光反射面のうちの１つに関連付けられ、前記プライマリ光反射面のうちの前記関連付けられた１つからの反射された光を受信するように配列され、前記反射コンポーネントは、前記複数のカメラのうちの少なくとも２つの間に配置される、
前記アペックスを通る仮想光軸、前記複数の光反射面のうちの少なくとも１つは、前記仮想光軸に対する前記複数のプライマリ光反射面の前記少なくとも１つによって形成された水平面が第１の角度を形成するように位置付けられ、前記複数のプライマリ光反射面の前記少なくとも１つから光を受信する前記複数のカメラのうちの１つの前記光軸は、前記仮想光軸に対する第２の角度を形成し、前記第２の角度は、前記第１の角度の値の二倍に等しい値を有する、と
を備えるイメージングシステム。
【請求項２】
前記複数のプライマリ光反射面の各々は、前記複数のプライマリ光反射面の各々によって形成された水平面が前記仮想光軸に対する前記第１の角度を形成するように位置付けされ、前記複数のカメラの各々の前記光軸は、前記仮想光軸に対する前記第２の角度を形成する、
請求項１に記載のシステム。
【請求項３】
前記複数のプライマリ光反射面の第１のサブセットによって形成された水平面は、前記仮想光軸に対する前記第１の角度を形成し、
前記複数のカメラの対応する第１のサブセットの前記光軸は、前記仮想光軸に対する前記第２の角度を形成し、
前記複数のプライマリ光反射面の第２のサブセットによって形成された水平面は、前記仮想光軸に対する第３の角度を形成し、前記第３の角度は、前記第１の角度の前記値とは異なる値を有し、
前記複数のカメラの対応する第２のサブセットの前記光軸は、前記仮想光軸に対する第４の角度を形成し、前記第４の角度は、前記第３の角度の前記値の二倍に等しい値を有する、
請求項１に記載のシステム。
【請求項４】
前記複数のカメラの各カメラは、レンズアセンブリおよびセンサを備え、各カメラに関して、
前記カメラの前記光軸は、前記レンズアセンブリの凸部の中央部と交差し、
前記カメラの前記光軸は、前記センサの中央部からオフセットされたロケーションで前記センサと交差する、
請求項１に記載のシステム。
【請求項５】
複数のレンズアセンブリおよび複数の画像センサをさらに備え、前記複数のカメラの各々は、前記複数のレンズアセンブリのうちの１つおよび前記複数の画像センサのうちの１つを備える、
請求項１に記載のシステム。
【請求項６】
前記複数のレンズアセンブリの各々は、凸部の中央部を有し、前記複数のレンズアセンブリのうちの少なくとも２つは、前記アペックスが前記複数のレンズアセンブリの前記少なくとも２つの各々の前記凸部の中央部から等距離にあるように位置付けられる、
請求項５に記載のシステム。
【請求項７】
前記複数のレンズアセンブリは、互いに同一であり、前記複数のレンズアセンブリは、前記アペックスから等距離に位置付けられる、
請求項５に記載のシステム。
【請求項８】
平面の回路基板をさらに備え、前記複数の画像センサの各々は、前記平面の回路基板上に位置付けられる、
請求項５に記載のシステム。
【請求項９】
複数のセカンダリ光反射面をさらに備え、前記複数のセカンダリ光反射面の各々は、前記複数のレンズアセンブリのうちの対応する１つから入来する光を受信し、前記入来する光を前記複数の画像センサのうちの対応する１つに向けて再方向付けするように構成される、
請求項８に記載のシステム。
【請求項１０】
前記複数のセカンダリ光反射面は各々、屈折プリズムの反射面のうちの１つを備える、
請求項５に記載のシステム。
【請求項１１】
平面の回路基板をさらに備え、前記複数の画像センサの各々は前記回路基板に差し込まれて位置付けられる、
請求項５に記載のシステム。
【請求項１２】
屈曲光学系アレイカメラを製造する方法であって、
複数のプライマリ光反射面を含む反射コンポーネントを設けること、前記反射コンポーネントは、前記複数のプライマリ光反射面の各々によって形成された水平面の交差のロケーションにアペックスを備え、前記屈曲光学系アレイカメラの仮想光軸は、前記アペックスを通る、と、
前記反射コンポーネントが前記複数のカメラのうちの少なくとも２つの間に配置されるように前記反射コンポーネントの周囲に複数のカメラを配列すること、前記配列することは、前記複数のカメラの各カメラに関して、
前記複数のプライマリ光反射面のうちの関連付けられた１つからターゲット画像シーンを表現する光の一部分を受信するためにレンズアセンブリを位置付けすること、前記レンズアセンブリは、光軸を有する、および
前記光軸が前記アペックスと交差し、単一のポイントでのみ前記複数のカメラのうちのその他のカメラの光軸と交差するようアラインされるように前記レンズアセンブリを位置付けすること、前記単一のポイントは、前記アペックスに位置する、
を備える、と、
前記仮想光軸に対する前記複数のプライマリ光反射面の前記少なくとも１つによって形成された水平面が第１の角度を形成するように、前記複数のプライマリ光反射面のうちの少なくとも１つを位置付けすること、前記複数のプライマリ光反射面の前記少なくとも１つから光を受信する前記複数のカメラのうちの１つの前記光軸は、前記仮想光軸に対する第２の角度を形成し、前記第２の角度は、前記第１の角度の値の二倍に等しい値を有する、と
を備える、方法。
【請求項１３】
前記複数のカメラの各カメラに関して、前記レンズアセンブリから光を受信するために画像センサを位置付けすることをさらに備える、
請求項１２に記載の屈曲光学系アレイカメラを製造する方法。
【請求項１４】
前記屈曲光学系アレイカメラは、仮想カメラの仮想光軸を備え、前記仮想カメラは、前記複数のカメラの各々の視野を組み合わせることによって形成される、
請求項１２に記載の屈曲光学系アレイカメラを製造する方法。
【請求項１５】
平面の回路基板を設けることと、
前記複数のカメラの各々に関して、
前記レンズアセンブリから光を受信するように位置付けられた画像センサを設けること、および
前記平面の回路基板上に前記画像センサを位置付けすること、と
をさらに備える、請求項１２に記載の屈曲光学系アレイカメラを製造する方法。
【手続補正書】
【提出日】平成30年7月20日(2018.7.20)
【手続補正１】
【補正対象書類名】特許請求の範囲
【補正対象項目名】全文
【補正方法】変更
【補正の内容】
【特許請求の範囲】
【請求項１】
ターゲット画像シーンをキャプチャするためのプリズム  アレイ  カメラであって、前記プリズム  アレイ  カメラは、
前記プリズム  アレイ  カメラの対称垂直軸の周りに配置された複数のカメラ（Ｃ）と、前記複数のカメラ（Ｃ）の各カメラ（Ｃ）は、
画像センサーと、
前記対称垂直軸に対して第１の角度に配置された光軸と、前記第１の角度は角度値に対応する、
を備える、
複数のプリズムと、各プリズムは、少なくとも部分的に屈折によって、前記複数のカメラ（Ｃ）のうちの対応するカメラ（Ｃ）の方へ前記ターゲット画像シーンを表す光の部分を向けるように構成され、各プリズムは、
前記プリズム  アレイ  カメラの前記対称垂直軸に直角に配置された第１の面と、前記第１の面は、前記ターゲット画像シーンを表す光の前記部分が前記第１の面を通って前記プリズムに入るように配置される、
第２の面によって形成される平面が、前記対応するカメラ（Ｃ）の前記光軸と前記対称垂直軸との間の前記第１の角度を二等分するように配置された前記第２の面と、
第３の面と、前記第２の面は、前記第１の面から受光された光の前記部分を前記第３の面のほうにリダイレクトするように構成され、前記第３の面は、前記ターゲット画像シーンを表す光の前記部分が、前記第３の面を介して前記プリズムを出て、前記対応するカメラ（Ｃ）のほうへ進むように配置される、
を備える、
を備え、
前記プリズム  アレイ  カメラが、
前記プリズム  アレイ  カメラの前記対称垂直軸が、各プリズムの前記第１の面と前記第２の面との間の交点にある頂点（Ａ）を通過する
ように配置され、
前記複数のカメラ（Ｃ）の各カメラ（Ｃ）の前記光軸が、前記頂点（Ａ）を通過する、
ことを特徴とする、プリズム  アレイ  カメラ。
【請求項２】
前記第３の面が前記第１の面に対して第２の角度に配置され、前記第２の角度は前記角度値に対応する、請求項１に記載のプリズム  アレイ  カメラ。
【請求項３】
前記第１の面の長さと前記第３の面の長さとが実質的に等しい、請求項１に記載のプリズム  アレイ  カメラ。
【請求項４】
前記第３の面中に形成されたまたは取り付けられた負レンズをさらに備える、請求項１に記載のプリズム  アレイ  カメラ。
【請求項５】
前記第２の面上に設けられた反射裏張りをさらに備える、請求項１に記載のプリズム  アレイ  カメラ。
【請求項６】
第１の光屈曲面が前記プリズムの前記第２の面を備え、前記複数のカメラ（Ｃ）の各カメラ（Ｃ）が、前記第１の光屈曲面と前記画像センサーとの間に配置された２次光屈曲面をさらに備える、請求項１に記載のプリズム  アレイ  カメラ。
【請求項７】
前記２次光屈曲面が反射面または追加のプリズムを備える、請求項６に記載のプリズム  アレイ  カメラ。
【請求項８】
前記複数のカメラ（Ｃ）の各カメラ（Ｃ）が、前記プリズムの前記第３の面と前記画像センサーとの間に配置されたレンズ集合をさらに備える、請求項１に記載のプリズム  アレイ  カメラ。
【請求項９】
前記複数のカメラ（Ｃ）の各々からの前記ターゲット画像シーンを表す光の前記部分から生成された画像を前記ターゲットシーンの最終画像内に合成するように構成されたプロセッサをさらに備える、請求項１に記載のプリズム  アレイ  カメラ。
【請求項１０】
プリズム  アレイ  カメラを製造する方法であって、前記方法は、
前記プリズム  アレイ  カメラの対称垂直軸を決定することと、
前記プリズム  アレイ  カメラの複数のカメラ（Ｃ）の各カメラ（Ｃ）について、
前記カメラ（Ｃ）の光軸が前記対称垂直軸に対して第１の角度に配置されるように前記カメラ（Ｃ）を配置することと、前記第１の角度は角度値に対応する、
光学要素の第１の面が、前記対称垂直軸に直角に配置され、
前記光学要素の第２の面が、前記第２の面によって形成される平面が前記第１の角度を二等分するように配置され、前記プリズム  アレイ  カメラの前記対称垂直軸が、前記光学要素の前記第１の面と前記第２の面との間の交点にある頂点（Ａ）を通過することを特徴とする、
ように、前記光学要素を配置することと、
前記カメラ（Ｃ）の前記光軸が前記光学要素の前記頂点（Ａ）を通過するように前記カメラ（Ｃ）を配置することと
を備える、方法。
【請求項１１】
前記光学要素の第３の面が前記光学要素の前記第１の面に対して第２の角度に配置されるように前記光学要素を配置することをさらに備え、前記第２の角度は前記角度値に対応する、請求項１０に記載の前記プリズム  アレイ  カメラを製造する方法。
【請求項１２】
前記光学要素が、前記第１の面に関する第１の長さと前記第３の面に関する第２の長さとを有し、ここにおいて、前記第１の長さは前記第２の長さに実質的に等しい、請求項１１に記載の前記プリズム  アレイ  カメラを製造する方法。
【請求項１３】
対応する光学要素の前記第３の面からターゲット画像シーンの部分を表す光を受光するように前記複数のカメラ（Ｃ）の各々を配置することをさらに備える、請求項１１に記載の前記プリズム  アレイ  カメラを製造する方法。
【請求項１４】
前記光学要素の前記第３の面内にまたはそれに固定された負レンズを設けることをさらに備える、請求項１１に記載の前記プリズム  アレイ  カメラを製造する方法。
【請求項１５】
前記光学要素の前記第２の面上に反射裏張りを設けることをさらに備える、請求項１０に記載の前記プリズム  アレイ  カメラを製造する方法。
【手続補正書】
【提出日】平成30年8月13日(2018.8.13)
【手続補正１】
【補正対象書類名】特許請求の範囲
【補正対象項目名】全文
【補正方法】変更
【補正の内容】
【特許請求の範囲】
【請求項１】
ＧＬＹＸ−１３を含む、うつ病治療を受けている患者を安定化するための医薬組成物であって、前記安定化が、有効量のＧＬＹＸ−１３を、誘導期に１週間に１度または２週間に１度、前記患者に静脈内投与することにより行われることを特徴とする、上記医薬組成物。
【請求項２】
前記うつ病治療を受けている患者が、他の抗うつ薬単独での治療に対して完全反応を達成せずに別の抗うつ薬を投与されている、請求項１に記載の医薬組成物。
【請求項３】
前記誘導期が、約５週間〜約８週間または約３週間〜約１２週間以上である、請求項１または２に記載の医薬組成物。
【請求項４】
前記誘導期が約６週間である、請求項１〜３のいずれか一項に記載の医薬組成物。
【請求項５】
前記誘導期の後、停止期に前記ＧＬＹＸ−１３を含む前記組成物が前記患者に投与されない、請求項１〜４のいずれか一項に記載の医薬組成物。
【請求項６】
前記患者が、前記停止期の間に前記他の抗うつ薬を投与される、請求項２〜５のいずれか一項に記載の医薬組成物
【請求項７】
前記誘導期が、３週間、４週間、５週間、２カ月、又はそれ以上である、請求項１〜６のいずれか一項に記載の医薬組成物。
【請求項８】
前記停止期の間、前記患者が、ＨＤＲＳ−１７尺度によって示される前記誘導期後の改善と比較して、うつ病症状の改善を実質的に維持する、請求項５〜７のいずれか一項に記載の医薬組成物。
【請求項９】
前記停止期の間、前記患者が、ＨＤＲＳ−１７尺度によって示される前記誘導期後の改善と比較して、前記他の抗うつ薬の投与によるうつ病症状の改善を実質的に維持する、請求項８に記載の医薬組成物。
【請求項１０】
前記停止期の間、前記患者が、約７以下のＨＤＲＳ−１７スコアを有する、請求項５〜９のいずれか一項に記載の医薬組成物。
【請求項１１】
前記停止期の間、前記患者が、ＭＡＤＲＳ尺度によって示される前記誘導期後の改善と比較して、うつ病症状の改善を実質的に維持する、請求項５〜７のいずれか一項に記載の医薬組成物。
【請求項１２】
前記停止期の間、前記患者が、約１０以下のＭＡＤＲＳスコアを有する、請求項１１に記載の医薬組成物。
【請求項１３】
前記誘導期の直後及び前記停止期の間、前記患者が、うつ病症状の約５０％以下の減少を維持する、請求項７〜１２のいずれか一項に記載の医薬組成物。
【請求項１４】
前記患者が、前記誘導期の前、間または後に別の抗うつ薬も投与されている、請求項１に記載の医薬組成物。
【請求項１５】
ＧＬＹＸ−１３を含む患者のうつ病治療用医薬組成物であって、前記うつ病治療が、第１の期間に前記患者に約２．５ｍｇ／ｋｇ〜約１０ｍｇ／ｋｇのＧＬＹＸ−１３を連続投与することを含み、そして前記連続投与に続いて、停止期にＧＬＹＸ−１３を投与しないことを特徴とする、上記医薬組成物。
【請求項１６】
前記連続投与及び非投与が少なくとも１回繰り返される、請求項１５に記載の医薬組成物。
【請求項１７】
前記ＧＬＹＸ−１３が、約３週間〜約１２週間の第１の期間に毎週または隔週投与され、かつ前記停止期が約１〜約６週間以上である、請求項１５または１６に記載の医薬組成物。
【請求項１８】
６〜１２週間、毎週または隔週、約５ｍｇ／ｋｇまたは約１０ｍｇ／ｋｇを連続投与することを含む、請求項１５〜１７のいずれか一項に記載の医薬組成物。
【請求項１９】
前記患者が、前記第１の期間の前及び／または間もしくは後に別の抗うつ薬も投与されている、請求項１５〜１８のいずれか一項に記載の医薬組成物。
【請求項２０】
前記患者が、前記停止期間に別の抗うつ薬を投与されている、請求項１５〜１９のいずれか一項に記載の医薬組成物。
【請求項２１】
ＧＬＹＸ−１３を含むヒト患者のうつ病治療用レジメンに使用するための医薬組成物であって、前記レジメンが、治療のサイクルにおいて患者にＧＬＹＸ−１３を送達することを含み、前記サイクルが、前記サイクル中少なくとも４週間の間、１週間あたり、または２週間ごとに約２２５ｍｇ〜約９００ｍｇのＧＬＹＸ−１３の投与量の静脈内投与と、それに続いて、少なくとも１週間、少なくとも２週間、少なくとも３週間、少なくとも４週間、または少なくとも２カ月のＧＬＹＸ−１３を投与しない期間を含む、上記医薬組成物。
【請求項２２】
前記サイクルが、少なくとも３回の毎週投与を含む、請求項１６に記載の医薬組成物。
【請求項２３】
前記サイクルが少なくとも１回繰り返される、請求項１９に記載の医薬組成物。
【請求項２４】
前記サイクルが、２〜１２サイクル繰り返される、請求項２１〜２３のいずれか一項に記載の医薬組成物。
【請求項２５】
前記サイクルが連続的である、請求項２１〜２４のいずれか一項に記載の医薬組成物。
【請求項２６】
前記患者が、前記サイクルの前及び／または後に別の抗うつ薬も投与されている、請求項２１〜２５のいずれか一項に記載の医薬組成物。
【請求項２７】
前記うつ病が治療抵抗性うつ病である、請求項１〜２６のいずれか一項に記載の医薬組成物
【請求項２８】
前記治療抵抗性患者が、ＧＬＹＸ−１３の投与の前に少なくとも１種の抗うつ薬治療によって治療された患者として認識される、請求項２７に記載の医薬組成物。
【請求項２９】
前記治療抵抗性患者が、ＧＬＹＸ−１３の投与の前に少なくとも２種の抗うつ薬治療によって治療された患者として認識される、請求項２７に記載の医薬組成物。
【請求項３０】
前記うつ病が、大うつ病性障害、気分変調性障害、精神病性うつ病、産後うつ病、季節的感情障害、双極性障害、双極性うつ病、気分障害、がんまたは慢性痛などの慢性病状、化学療法、慢性ストレスによって引き起こされるうつ病、外傷後ストレス障害及び躁うつ病性障害からなる群から選択される、請求項１〜２９のいずれか一項に記載の医薬組成物。